(57)【要約】【課題】  異なるアンテナの設置態様に対応させるための選択作業を簡単に行う。【解決手段】  混合入力端子ＩＮから入力された共通に使用される混合入力信号は分配器１０で分配されてスイッチ手段ＳＷ１〜ＳＷ８に入力され、個別入力端子Ａ１〜Ａ８から入力された個別に使用される受信信号もスイッチ手段ＳＷ１〜ＳＷ８に入力される。スイッチ手段ＳＷ１〜ＳＷ８は、それぞれ独立して２つの入力のうちの１つを選択して、チャンネルユニット１１〜１８に供給する。チャンネルユニット１１〜１８で信号処理された各チャンネルの出力は混合器１９で混合されて出力端子ＯＵＴから再送信される。【選択図】  図１
2006074648.tif 000002
【特許請求の範囲】
【請求項１】
共通に使用される受信信号が入力される混合入力端子と、
個別に使用される受信信号が入力される個別入力端子と、
前記混合入力端子から入力された受信信号を分配した分配信号と、前記個別入力端子から入力された受信信号とのいずれかを選択して出力するスイッチ手段と、
該スイッチ手段により選択された信号の内の特定のチャンネルの信号処理を行うチャンネルユニットと、
該チャンネルユニットから出力される各チャンネルの信号を混合して出力する出力端子と、
を備えることを特徴とする再送信装置。
【請求項２】
前記分配信号を出力する複数の分配端子を備える分配手段を有し、前記スイッチ手段により選択されなかった分配信号を出力する分配端子が、当該スイッチ手段により終端されるようにしたことを特徴とする請求項１記載の再送信装置。
【請求項３】
前記混合入力端子から入力された受信信号を増幅する増幅手段が設けられ、当該増幅手段は分配による分配損失を補償するようにされていることを特徴とする請求項１または２記載の再送信装置。
【発明の詳細な説明】
【技術分野】
【０００１】
本発明は、入力されたチャンネルの信号処理を行って出力する再送信装置に関するものである。
【背景技術】
【０００２】
テレビ放送波の受信においては、受信レベル等の信号品質がその受信点の位置によって異なっていたり、時間や季節によって変化する場合がある。また、チャンネル毎の受信レベルにレベル差を生じている場合もある。このレベル差が大きい場合、特に増幅器を用いる受信システムでは非線形ひずみの影響を受けやすいため、チャンネル毎にレベル調整できるテレビ放送再送信装置が必要となる。このような装置では各チャンネル毎に調整された信号処理回路のそれぞれに信号を入力しなければならないため、外付けもしくは機器に内蔵された分配器や分波器を用いて、各チャンネルの信号を分配して入力を行っている。このようなテレビ放送再送信装置では、同期型テレビ変調器、テレビシグナルプロセッサ、チャンネルプロパーアンプ、レベル調整器等を備え、アンテナで受信した放送波を、各チャンネル毎または特定の周波数帯域毎に増幅やレベル調整等の信号処理を行った後、同軸ケーブル等の伝送線路に送出している。
【０００３】
従来のテレビ放送の再送信装置の一例の構成を示すブロック図を図４に示す。
図４に示す再送信装置１００は８チャンネルのテレビ放送の再送信装置とされており、テレビ放送の受信信号が共通に使用される混合入力信号として入力される混合入力端子ＩＮを備え、混合入力端子ＩＮから入力された混合入力信号は分配器１１０により８分配される。８分配された分配信号ｓ１，ｓ２，ｓ３，ｓ４，ｓ５，ｓ６，ｓ７，ｓ８はそれぞれチャンネルユニット１１１，１１２，１１３，１１４，１１５，１１６，１１７，１１８に入力される。各チャンネルユニット１１１〜１１８は、同期型テレビ変調器、テレビシグナルプロセッサ、チャンネルプロパーアンプ、レベル調整器等を備え、入力されたいずれかの分配信号ｓ１〜ｓ８の内の特定のチャンネルの増幅やレベル調整等の信号処理を行って当該チャンネル信号を出力している。各チャンネルユニット１１１〜１１８から出力された異なる８つのチャンネル信号Ｓ１，Ｓ２，Ｓ３，Ｓ４，Ｓ５，Ｓ６，Ｓ７，Ｓ８は混合器１１９により混合されてＲＦ出力として出力端子ＯＵＴから出力されて再送信される。
【０００４】
図４に示す再送信装置１００における混合入力端子ＩＮに入力される混合入力信号は外付け混合器１２０から出力されている。外付け混合器１２０は、ＭＩＸ１２１，ＭＩＸ１２２，ＭＩＸ１２３の３つの混合器を有しており、アンテナＵＨＦ１のＵＨＦテレビ放送の受信信号と、アンテナＵＨＦ２のＵＨＦテレビ放送の受信信号がＭＩＸ１２１に入力されて混合されている。また、アンテナＶＨＦ１のハイチャンネルのＶＨＦテレビ放送の受信信号と、アンテナＶＨＦ２のローチャンネルのＶＨＦテレビ放送の受信信号がＭＩＸ１２２に入力されて混合されている。さらに、ＭＩＸ１２１からの混合信号とＭＩＸ１２２からの混合信号とがＭＩＸ１２３において混合されて、外付け混合器１２０から４本のアンテナＵＨＦ１，ＵＨＦ２，ＶＨＦ１，ＶＨＦ２で受信されたＵＨＦテレビ放送およびＶＨＦテレビ放送の受信信号が混合されて出力されている。再送信装置１００では、外付け混合器１２０から出力されるＵＨＦテレビ放送およびＶＨＦテレビ放送の混合入力信号の内の８チャンネルの信号の信号処理が行われて出力端子ＯＵＴから再送信されている。
【０００５】
従来のテレビ放送の再送信装置の他の構成を示すブロック図を図５に示す。
図５に示す再送信装置１３０は８チャンネルのテレビ放送の再送信装置とされており、個別に使用されるテレビ放送の受信信号が入力される個別入力端子Ａ１，Ａ２，Ａ３，Ａ４，Ａ５，Ａ６，Ａ７，Ａ８を備え、個別入力端子Ａ１〜Ａ８から入力された個別信号ｓ１，ｓ２，ｓ３，ｓ４，ｓ５，ｓ６，ｓ７，ｓ８はそれぞれチャンネルユニット１３１，１３２，１３３，１３４，１３５，１３６，１３７，１３８に入力される。各チャンネルユニット１３１〜１３８は、同期型テレビ変調器、テレビシグナルプロセッサ、チャンネルプロパーアンプ、レベル調整器等を備え、入力された個別信号ｓ１〜ｓ８の特定のチャンネルの増幅やレベル調整等の信号処理を行って当該チャンネル信号を出力している。各チャンネルユニット１３１〜１３８から出力された異なる８つのチャンネル信号Ｓ１，Ｓ２，Ｓ３，Ｓ４，Ｓ５，Ｓ６，Ｓ７，Ｓ８は混合器１３９により混合されてＲＦ出力として出力端子ＯＵＴから出力されて再送信される。
【０００６】
図５に示す再送信装置１３０における８つの個別入力端子Ａ１〜Ａ８の内の６つの個別入力端子Ａ１〜Ａ６に入力される各個別信号は外付け分配器１４０から出力されている。外付け分配器１４０は、ＤＩＶ１４１，ＤＩＶ１４２の２つの分配器を有しており、アンテナＶＨＦ２のローチャンネルのＶＨＦテレビ放送の受信信号がＤＩＶ１４１に入力されて２分配され、ハイチャンネルのアンテナＶＨＦ１のＶＨＦテレビ放送の受信信号がＤＩＶ１４２に入力されて４分配されている。ＤＩＶ１４１で２分配された分配信号は、それぞれ個別入力端子Ａ１，Ａ２に入力され、ＤＩＶ１４２で４分配された分配信号は、それぞれ個別入力端子Ａ３，Ａ４，Ａ５，Ａ６に入力されている。さらに、アンテナＵＨＦ１のＵＨＦテレビ放送の受信信号は個別入力端子Ａ７に入力され、アンテナＵＨＦ２のＵＨＦテレビ放送の受信信号は個別入力端子Ａ８に入力されている。再送信装置１３０では、外付け分配器１４０から出力されるＶＨＦテレビ放送の混合入力信号の内の６チャンネルの信号と、アンテナＵＨＦ１およびアンテナＵＨＦ２から出力されるＵＨＦテレビ放送のそれぞれ１チャンネルの信号の合計８チャンネルの信号の信号処理が行われて出力端子ＯＵＴから再送信されている。
【０００７】
従来のテレビ放送の再送信装置のさらに他の構成を示すブロック図を図６に示す。
図６に示す再送信装置１５０は８チャンネルのテレビ放送の再送信装置とされており、テレビ放送の受信信号が共通に使用される混合入力信号として入力される２つの混合入力端子ＭＩＸ１，ＭＩＸ２と個別に使用される受信信号が入力される２つの個別入力端子Ａ７，Ａ８を備えている。再送信装置１５０は２つの分配器ＤＩＶ１６１，ＤＩＶ１６２が内蔵されており、混合入力端子ＭＩＸ１に入力された混合入力信号は、分配器ＤＩＶ１６１に入力されて２分配され、混合入力端子ＭＩＸ２に入力された混合入力信号は、分配器ＤＩＶ１６２に入力されて４分配される。分配器ＤＩＶ１６１から出力された２つの分配信号ｓ１，ｓ２はそれぞれチャンネルユニット１５１，１５２に入力され、分配器ＤＩＶ１６２から出力された４つの分配信号ｓ３，ｓ４，ｓ５，ｓ６はそれぞれチャンネルユニット１５３，１５４，１５５，１５６に入力される。さらに、個別入力端子Ａ７，Ａ８から入力されたそれぞれの個別信号ｓ７，ｓ８はそれぞれチャンネルユニット１５７，１５８に入力される。各チャンネルユニット１５１〜１５８は、同期型テレビ変調器、テレビシグナルプロセッサ、チャンネルプロパーアンプ、レベル調整器等を備え、供給された信号ｓ１〜ｓ８の特定のチャンネルの増幅やレベル調整等の信号処理を行って当該チャンネル信号を出力している。各チャンネルユニット１５１〜１５８から出力された異なる８つのチャンネル信号Ｓ１，Ｓ２，Ｓ３，Ｓ４，Ｓ５，Ｓ６，Ｓ７，Ｓ８は混合器１５９により混合されてＲＦ出力として出力端子ＯＵＴから出力されて再送信される。
【０００８】
図６に示す再送信装置１５０における混合入力端子ＭＩＸ１には、アンテナＶＨＦ２のローチャンネルのＶＨＦテレビ放送の受信信号が入力され、混合入力端子ＭＩＸ２にはハイチャンネルのアンテナＶＨＦ１のＶＨＦテレビ放送の受信信号が入力されている。また、個別入力端子Ａ７にはアンテナＵＨＦ１のＵＨＦテレビ放送の受信信号が入力され、個別入力端子Ａ８にはアンテナＵＨＦ２のＵＨＦテレビ放送の受信信号が入力されている。再送信装置１５０では、アンテナＶＨＦ１から出力されるＶＨＦテレビ放送の４チャンネルの信号およびアンテナＶＨＦ２から出力されるＶＨＦテレビ放送の２チャンネルの信号と、アンテナＵＨＦ１およびアンテナＵＨＦ２から出力されるＵＨＦテレビ放送のそれぞれ１チャンネルの信号の合計８チャンネルの信号の信号処理が行われて出力端子ＯＵＴから再送信されている。
【０００９】
分配器を内蔵した図４に示すような再送信装置１００に受信信号を入力する場合、多方向受信のように送信点が複数あるシステムや、特定周波数帯の専用アンテナを使用するアンテナシステムに対応するには、外付けの混合器を用いて入力信号を一つにまとめなければならないという問題点があった。一方、図５に示す再送信装置１３０のように個別入力のみの入力端子のみ備えられて外付けの分配器を使用する場合は、多方向受信のようなシステムへの対応は容易となるが、一つのアンテナで複数のチャンネルを受信しているシステムではチャンネル数の増加に応じて同軸ケーブルによる配線が増えるため、施工時の作業が煩雑になってしまうという問題点があった。このため従来の再送信装置では、顧客の要求する仕様に合わせた入力方式を製造時に選択することにより、図６に示す再送信装置１５０のような設計を採用していた。しかし、この方法では受注生産対応となるため生産効率が低下するという問題点があった。
【００１０】
これを解決するために、本出願人はアンテナで受信された受信信号が供給される複数の入力端子と、少なくとも１つの前記入力端子に後置接続され、前記複数のチャンネル信号を分配する分配回路と、該分配回路の分配出力ラインがそれぞれ接続されている複数の第１中間出力端子と、前記複数の入力端子のうち、前記分配回路に接続されている入力端子以外の入力端子にそれぞれ接続されている第２中間端子と、前記受信信号の内の特定のチャンネルの信号をそれぞれ増幅する複数のチャンネルアンプと、該複数のチャンネルアンプの入力側にそれぞれ設けられている中間入力端子とを備え、前記中間入力端子のそれぞれと、前記第１中間端子あるいは前記第２中間端子のいずれかの間を同軸ケーブルからなる接続手段により接続するようにした共聴システム用ヘッドアンプを提案した（特許文献１参照）。
【特許文献１】特許第３２６３２４９号公報
【発明の開示】
【発明が解決しようとする課題】
【００１１】
上記した従来の共聴システム用ヘッドアンプにおいては、アンテナで受信された受信信号が供給される複数の入力端子と、分配回路の分配出力ラインがそれぞれ接続されている複数の第１中間出力端子と、複数の入力端子のうちの分配回路に接続されていない第２の中間入力端子と、複数のチャンネルアンプの入力側にそれぞれ設けられている中間入力端子とを備え、中間入力端子と、第１中間入力端子あるいは第２中間入力端子とを選択的に接続している。したがって、チャンネルアンプには分配回路の分配出力あるいは入力端子からの受信信号を選択的に入力することができるが、第１中間出力端子、第２中間出力端子、中間入力端子という多数の同軸接栓からなる端子を設ける必要があると共に、同軸ケーブルを接続するためのスペースが必要になる。さらに、選択時に同軸接栓同士を同軸ケーブルにより接続する作業が必要となる。このため、装置が大型化すると共に選択作業が繁雑になるという問題点があった。また、選択時に第１中間出力端子と第２中間出力端子との半分が空き端子となり、この空き端子に雑音の混入を防止するためにダミー接栓を装着しなければならないという問題点もあった。
【００１２】
そこで、本発明は異なるアンテナの設置態様に対応させるための選択作業を簡単に行うことができる小型化可能な再送信装置を提供することを目的としている。
【課題を解決するための手段】
【００１３】
上記目的を達成するために、本発明の再送信装置は、混合入力端子から入力された共通に使用される受信信号と、個別入力端子から入力された個別に使用される受信信号とのいずれかを選択して出力するスイッチ手段を設け、スイッチ手段によりチャンネルユニットに入力される信号を選択できるようにしたことを最も主要な特徴としている。
【発明の効果】
【００１４】
本発明は、混合入力端子から入力された共通に使用される受信信号と、個別入力端子から入力された個別に使用される受信信号とのいずれかを選択して出力するスイッチ手段を設け、スイッチ手段によりチャンネルユニットに入力される信号を選択できるようにしたので、煩雑な選択作業をすることなくワンタッチで選択作業を行うことができるようになる。また、多数の端子を必要としないと共に選択用の同軸ケーブルの設置スペースも必要としないことから装置を小型化することができるようになる。さらに、一つのアンテナで複数のチャンネルを受信しているシステム、および、多方向受信のように送信点が複数あるシステムや、特定周波数帯の専用アンテナを使用するシステムに、スイッチ手段を切り換えるだけで対応することができるので、アンテナシステムによらず共通の構成の再送信装置とすることができる。このため、生産効率を向上することができると共に、コストを低減することができるようになる。
【発明を実施するための最良の形態】
【００１５】
異なるアンテナの設置態様に対応させるための選択作業を簡単に行うことができる小型化可能な再送信装置を提供するという目的を、混合入力端子から入力された混合信号と、個別入力端子から入力された個別信号とのいずれかを選択して出力するスイッチ手段を設け、スイッチ手段によりチャンネルユニットに入力される信号を選択できるようにしたことで実現した。
【００１６】
本発明の実施例のテレビ放送の再送信装置の構成を示すブロック図を図１に示す。
図１に示す本発明にかかる再送信装置１は８チャンネルのテレビ放送の再送信装置とされており、複数チャンネルのテレビ放送の受信信号が混合されて共通に使用される混合入力信号として入力される混合入力端子ＩＮを備え、混合入力端子ＩＮから入力された混合入力信号は分配器１０により８分配される。８分配された分配信号ｓ１，ｓ２，ｓ３，ｓ４，ｓ５，ｓ６，ｓ７，ｓ８はそれぞれスイッチ手段ＳＷ１，ＳＷ２，ＳＷ３，ＳＷ４，ＳＷ５，ＳＷ６，ＳＷ７，ＳＷ８の固定接点ａに入力される。また、再送信装置１は個別に使用されるテレビ放送の受信信号が入力される８つの個別入力端子Ａ１，Ａ２，Ａ３，Ａ４，Ａ５，Ａ６，Ａ７，Ａ８を備え、個別入力端子Ａ１〜Ａ８から入力された８つの個別信号は、それぞれスイッチ手段ＳＷ１，ＳＷ２，ＳＷ３，ＳＷ４，ＳＷ５，ＳＷ６，ＳＷ７，ＳＷ８の固定接点ｂに入力される。
【００１７】
そして、スイッチ手段ＳＷ１，ＳＷ２，ＳＷ３，ＳＷ４，ＳＷ５，ＳＷ６，ＳＷ７，ＳＷ８の可動接点ｃはそれぞれチャンネルユニット１１，１２，１３，１４，１５，１６，１７，１８の入力に接続される。各チャンネルユニット１１〜１８は、同期型テレビ変調器、テレビシグナルプロセッサ、チャンネルプロパーアンプ、レベル調整器等を備え、接続されているスイッチ手段ＳＷ１〜ＳＷ８により選択された信号の内の特定のチャンネルの増幅やレベル調整等の信号処理を行って当該チャンネル信号を出力している。各チャンネルユニット１１〜１８から出力された異なる８つのチャンネル信号Ｓ１，Ｓ２，Ｓ３，Ｓ４，Ｓ５，Ｓ６，Ｓ７，Ｓ８は混合器１９により混合されてＲＦ出力として出力端子ＯＵＴから出力されて再送信される。
【００１８】
本発明にかかる再送信装置１はこのような構成とされているため、図４に示すような外付け混合器１２０から４本のアンテナＵＨＦ１，ＵＨＦ２，ＶＨＦ１，ＶＨＦ２で受信されたＵＨＦテレビ放送およびＶＨＦテレビ放送のチャンネルが混合されて出力されているアンテナシステムの場合は、外付け混合器１２０からの混合信号を混合入力端子ＩＮに入力するようにする。そして、スイッチ手段ＳＷ１〜ＳＷ８の可動接点ｃを固定接点ａ側に切り換えることにより、外付け混合器１２０から出力されるＵＨＦテレビ放送およびＶＨＦテレビ放送の混合入力信号の内の８チャンネルの信号の信号処理をそれぞれチャンネルユニット１１〜１８で行えるようになる。チャンネルユニット１１〜１８からの出力は混合器１９により混合されることにより出力端子ＯＵＴから再送信されるようになる。
【００１９】
また、図５に示すような外付け分配器１４０から２本のアンテナＶＨＦ１，ＶＨＦ２で受信されたＶＨＦテレビ放送の受信信号が混合されて出力されていると共に、２本のアンテナＵＨＦ１，ＵＨＦ２で受信されたＵＨＦテレビ放送の受信信号が出力されるアンテナシステムの場合は、外付け分配器１４０からの混合信号が混合入力端子ＩＮに入力されると共に、２本のアンテナＵＨＦ１，ＵＨＦ２で受信されたＵＨＦテレビ放送の受信信号がそれぞれ個別入力端子Ａ７，Ａ８に入力される。そして、６つのスイッチ手段ＳＷ１〜ＳＷ６の可動接点ｃを固定接点ａ側に切り換えると共に、残る２つのスイッチ手段ＳＷ７，ＳＷ８の可動接点ｃを固定接点ｂ側に切り換える。これにより、外付け分配器１４０から出力されるＶＨＦテレビ放送の混合入力信号の内の６チャンネルの信号の信号処理をそれぞれチャンネルユニット１１〜１６で行えると共に、アンテナＵＨＦ１，ＵＨＦ２から出力されるＵＨＦテレビ放送の内のそれぞれ１チャンネルの信号の信号処理をチャンネルユニット１７，１８で行えるようになる。チャンネルユニット１１〜１８からの出力は混合器１９により混合されることにより出力端子ＯＵＴから再送信されるようになる。
【００２０】
再送信装置１におけるスイッチ手段ＳＷ１〜ＳＷ８は、１回路２接点のスイッチや高周波スイッチあるいは高周波リレーを含むリレー等のスイッチ手段により構成することができる。
本発明の再送信装置１は、混合入力端子ＩＮから入力された共通に使用される受信信号と、個別入力端子Ａ１〜Ａ８から入力された個別に使用される受信信号とのいずれかをスイッチ手段ＳＷ１〜ＳＷ８で選択してチャンネルユニット１１〜１８に供給することができるため、アンテナシステムに応じて煩雑な選択作業をすることなくワンタッチで選択作業を行うことができるようになる。また、多数の端子を必要としないと共に選択用の同軸ケーブルの設置スペースも必要としないことから装置を小型化することができるようになる。さらに、本発明の再送信装置１によれば、上述したように１本のアンテナで複数のチャンネルを受信しているシステム、および、多方向受信のように送信点が複数あるシステムや、特定周波数帯の専用アンテナを使用するシステムに、スイッチ手段ＳＷ１〜ＳＷ８を切り換えるだけで対応することができるので、アンテナシステムによらず共通の構成の再送信装置１とすることができる。このため、再送信装置１の生産効率を向上することができると共に、コストを低減することができるようになる。
【００２１】
図２に、スイッチ手段を２回路２接点のスイッチ手段で構成した再送信装置２の構成の一部を示す。図２に示す再送信装置２では８つのスイッチ手段の内の１つのスイッチ手段ＳＷ８ａの構成だけが示されている。スイッチ手段ＳＷ８ａの第１の回路の第１可動接点ｃ１には分配器１０により分配された内の分配信号ｓ８が入力されており、第１固定接点ａ１は第２の回路の第３固定接点ａ２に接続されており、第２固定接点ｂ１は１端がアースされた終端抵抗Ｒｄにより終端されている。また、第２回路の第４固定接点ｂ２には個別入力端子Ａ８が接続されており、その第２可動接点ｃ２はチャンネルユニット１８の入力に接続されている。図示されていない、スイッチ手段ＳＷ１ａ〜ＳＷ７ａもスイッチ手段８ａと同様の接続がされて、第２固定接点ｂ１は１端がアースされた終端抵抗Ｒｄにより終端されている。
【００２２】
ここで、スイッチ手段ＳＷ８ａを図示するように切り換えると分配器１０により分配された内の分配信号ｓ８は、第１可動接点ｃ１から第２固定接点ｂ１を介して終端抵抗Ｒｄにより終端されるようになる。同時に、個別入力端子Ａ８から入力された受信信号は第４固定接点ｂ２から第２可動接点ｃ２を介してチャンネルユニット１８に入力されるようになる。また、スイッチ手段ＳＷ８ａを図示する場合と逆側に切り換えると分配器１０により分配された内の分配信号ｓ８は、第１可動接点ｃ１から第１固定接点ａ１を介して第３固定接点ａ２に供給され、さらに第２可動接点ｃ２を介してチャンネルユニット１８に入力されるようになる。また、個別入力端子Ａ８はどこにも接続されないようになる。図示されていない他のスイッチ手段ＳＷ１ａ〜ＳＷ７ａを切り換えた場合も同様に、選択されなかった分配信号は、第１可動接点ｃ１から第２固定接点ｂ１を介して終端抵抗Ｒｄにより終端されるようになる。
【００２３】
次に、図２に示す再送信装置２の変形例の再送信装置３の構成を図３に示す。図３に示す再送信装置３では分配器１０と混合入力端子ＩＮとの間にＲＦアンプ２１を設けている。このＲＦアンプ２１は分配器１０の分配損失を補償する増幅手段である。なお、図３においては８つのスイッチ手段の内の１つのスイッチ手段ＳＷ８ａしか示されていないが、他のスイッチ手段ＳＷ１ａ〜ＳＷ７ａも同様の接続構成とされている。
以上の説明においては、再送信装置は８チャンネルの再送信装置としたが、本発明はこれに限るものではなくチャンネル数を任意の数とすることができる。その場合は、チャンネル数にあわせて分配器の分配数、個別入力端子数、チャンネルユニット数を対応させればよい。
【産業上の利用可能性】
【００２４】
なお、以上の説明ではテレビ受信信号を増幅する再送信装置としたが、本発明は、これに限るものではなく共通に使用する信号と個別に使用する信号が供給される信号処理装置に適用することができる。
【図面の簡単な説明】
【００２５】
【図１】本発明の実施例のテレビ放送の再送信装置の構成の一例を示すブロック図である。
【図２】本発明の実施例のテレビ放送の再送信装置の他の構成を示すブロック図である。
【図３】本発明の実施例のテレビ放送の再送信装置のさらに他の構成を示すブロック図である。
【図４】従来のテレビ放送の再送信装置の構成を示すブロック図の一例を示す図である。
【図５】従来のテレビ放送の再送信装置の他の構成を示すブロック図である。
【図６】従来のテレビ放送の再送信装置のさらに他の構成を示すブロック図である。
【符号の説明】
【００２６】
１  再送信装置
２  再送信装置
３  再送信装置
１０  分配器
１１，１２，１３，１４，１５，１６，１７，１８  チャンネルユニット
１９  混合器
２１  ＲＦアンプ
１００  再送信装置
１１０  分配器
１１１，１１２，１１３，１１４，１１５，１１６，１１７，１１８  チャンネルユニット
１１９  混合器
１２０  外付け混合器
１３０  再送信装置
１３１，１３２，１３３，１３４，１３５，１３６，１３７，１３８  チャンネルユニット
１３９  混合器
１４０  外付け分配器
１５０  再送信装置
１５１，１５２，１５３，１５４，１５５，１５６，１５７，１５８  チャンネルユニット
１５９  混合器
Ａ１，Ａ２，Ａ３，Ａ４，Ａ５，Ａ６，Ａ７，Ａ８  個別入力端子
ＤＩＶ１４１，ＤＩＶ１４２  分配器
ＤＩＶ１６１，ＤＩＶ１６２  分配器
ＩＮ  混合入力端子
ＭＩＸ１，ＭＩＸ２  混合入力端子
ＭＩＸ１２１，ＭＩＸ１２２  混合器
ＯＵＴ  出力端子
Ｒｄ  終端抵抗
ＳＷ１，ＳＷ２，ＳＷ３，ＳＷ４，ＳＷ５，ＳＷ６，ＳＷ７，ＳＷ８  スイッチ手段
ＳＷ８ａ  スイッチ手段
【図１】
2006074648.tif 000003
【図２】
2006074648.tif 000004
【図３】
2006074648.tif 000005
【図４】
2006074648.tif 000006
【図５】
2006074648.tif 000007
【図６】
2006074648.tif 000008